(57)【特許請求の範囲】
【請求項１】
画像を写真感光材料に記録する主カメラと、主カメラの視野の少なくとも一部を視野とするように主カメラに対して固定され主カメラのシャッターの開放に同期して撮像した静止画像を電気信号に変換する補助カメラと、補助カメラにより撮像した複数の静止画像を識別符号とともに記録する記録手段と、記録手段に記録された複数静止画像の各縮小画像が識別符号とともに印刷されたインデックスプリントであって現像所に送る写真感光材料に記録されている画像のうち現像・焼付処理に回す画像の選択に用いられるとともに選択した画像についてマーキングされ写真感光材料と写真の仕上げ方の指定メモと同時に現像所に送られるインデックスプリントを出力するプリンタとからなることを特徴とする写真撮影システム。
【請求項２】
記録手段に記録された複数静止画像を読み出すとともに読み出した静止画像を識別符号とともに画面に表示する比較モニタ手段を備えていることを特徴とする請求項１記載の写真撮影システム。
【発明の詳細な説明】
【０００１】
【発明の属する技術分野】
本発明は、主として写真館等のスタジオにおいて写真感光材料を用いて被写体を撮影する際に用いる写真撮影システムに関するものである。
【０００２】
【従来の技術】
被写体について視覚的に識別できる画像を記録する技術として、被写体の画像を写真感光材料に記録する銀塩写真技術が知られている。銀塩写真技術による写真（画像）は電気信号などを介在させる他の画像記録技術を利用した画像に比較すると、解像力や粒状度において格段に優れ、しかも印画紙に焼き付けた後は別途装置を必要とすることなく画像を見ることができ、しかもシート状であって保存に大きなスペースを必要としないから、写真館等のスタジオにおける静止画像の撮影ではもっとも多く使用されている。
【０００３】
一方、銀塩写真技術による写真は、その撮影後、現像するまでの間は被写体の写り具合を知ることはできず、写り具合がわかるまでに時間がかかる。人物を被写体として撮影したときに、写真に写った顔の表情などを知ろうとすれば、現像・焼付が仕上がるまで待たなければならないものであり、写真が気に入らなければ撮影をやり直すことになって多くの時間が無駄になる。
【０００４】
このために、撮影時に複数枚の写真を次々に撮影して現像・焼付後に写り具合のよい写真を選択することも一般に行われているが、このような方法では焼付に要する印画紙や印画紙の現像処理に用いる薬剤が無駄に消費されるという問題がある。
【０００５】
このような問題点を解決するものとして、特公平７−１１３７３３号公報などに示されているように、いわゆるデジタルカメラ（電子スチルカメラ）を併用した写真撮影システムが提供されている。上記公報に示されたシステムは、画像を写真感光材料に記録する主カメラと、主カメラの視野の少なくとも一部を視野とするように主カメラに対して固定され主カメラのシャッターの開放に同期して撮像した静止画像を電気信号に変換する補助カメラと、補助カメラにより撮像した複数の静止画像を識別符号とともに記録する記録手段と、記録手段に記録された静止画像のうちで比較対象となる複数の静止画像を読み出す再生手段と、複数の領域に分割された画面を備え再生手段により読み出された複数の静止画像をそれぞれ各領域に対応付けて表示する比較モニタ手段とを備えたもので、複数撮影した画像のうち、どの画像がもっとも好ましいものであるかを比較モニタ手段上に複数画像を同時表示させて比較することができるために、写り具合のよい画像の選択が容易なものであり、そして主カメラで撮影した写真のうち、上記選択がなされたものだけを現像・焼付処理に回すことで、現像・焼付に要するコストの低減及び現像処理に用いる薬剤の無駄な消費を防ぐことができる。
【０００６】
【発明が解決しようとする課題】
しかし、上記のシステムにおいても次のような問題を残している。すなわち、人物撮影にあたって、特定の衣装や特定のシチュエーションで多数枚の写真を撮影し、この中から１枚の写りの良い写真を選択する場合のことが多いが、上記比較モニタ手段上に撮影した全画像をすべて並べてこれらを一度に見比べることができるようにすると、画面に多数の小さいサイズの画像を並べることになり、画像の判別が困難となってくる。
【０００７】
また、各画像のサイズを大きくすれば、画像の判別は容易となるが、一度に表示する画像の数が少なくなり、全画像を並べて見比べることができなくなる上に、ある画面で表示されている画像と、他の画面で表示されている画像とを比較することが困難となってしまう。
【０００８】
本発明はこのような点に鑑みなされたものであって、その目的とするところは多数撮影した画像の中から現像焼付処理に回すべき画像を選択する作業をより容易にした写真撮影システムを提供するにある。
【０００９】
【課題を解決するための手段】
しかして本発明は、画像を写真感光材料に記録する主カメラと、主カメラの視野の少なくとも一部を視野とするように主カメラに対して固定され主カメラのシャッターの開放に同期して撮像した静止画像を電気信号に変換する補助カメラと、補助カメラにより撮像した複数の静止画像を識別符号とともに記録する記録手段と、記録手段に記録された複数静止画像の各縮小画像が識別符号とともに印刷されたインデックスプリントであって現像所に送る写真感光材料に記録されている画像のうち現像・焼付処理に回す画像の選択に用いられるとともに選択した画像についてマーキングされ写真感光材料と写真の仕上げ方の指定メモと同時に現像所に送られるインデックスプリントを出力するプリンタとからなることに特徴を有している。１枚のインデックスプリントに収まりきらない数の画像を撮影した時にも、出力された複数枚のインデックスプリントを並べることで、容易に画像を見比べることができる。
【００１０】
そして、記録手段に記録された複数静止画像を読み出すとともに読み出された静止画像を識別符号とともに画面に表示する比較モニタ手段も備えたものとしておけば、インデックスプリントでは判別しにくい詳細も検討した上で選択を行うことができるものとなる。
【００１１】
【発明の実施の形態】
以下本発明を実施の形態の一例に基づいて詳述すると、本発明の写真撮影システムは、図１に示すように、写真感光材料（写真フィルム、写真乾板）に画像を記録する主カメラ１と、主カメラ１の視野の少なくとも一部を視野とする補助カメラ２とを備えたもので、主カメラ１と補助カメラ２とは連結装置４を介して互いに定位置に固定されている。主カメラ１と補助カメラ２との間の距離は、被写体３に対して主カメラ１と補助カメラ２との間で大きな視差が生じないように、被写体３との距離に対して十分に小さく設定してある。
【００１２】
主カメラ１での撮影画角と補助カメラ２での撮影画角とは一致させておくことが好ましいが、被写体３が人物である場合、補助カメラ２の撮影画角を主カメラ１の撮影画角より小さくして、人物の表情を捉えやすくしておいてもよい。なお、主カメラ１と補助カメラ２とは、撮影レンズを共用し、ハーフミラーやビームスプリッターによって分割された光をそれぞれ受けるようにしたものであってもよい。
【００１３】
補助カメラ２は、ＣＣＤのような撮像素子２１を備えて被写体３の画像を電気信号に変換するもので、この電気信号は主カメラ１が備えるシャッター１１の開放に同期して取り出される。すなわち、主カメラ１のシャッター１１の開放で写真感光材料に画像が記録されると同時に、補助カメラ２では同じ被写体に関する１画面分の電気信号が取り出される。１画面分の電気信号を取り出す構成として、補助カメラ２には撮像素子２１から出力される電気信号の通るゲート回路２２が設けられ、ゲート回路２２は同期回路２３から出力される開放信号が入力されている間に開放される。同期回路２３は、主カメラ１でのシャッター１１の開放に同期して１画面分の電気信号が通過する期間に開放信号を発生する。
【００１４】
上記ゲート回路２２や同期回路２３は、市販されているデジタルカメラ（電子スチルカメラ）や一齣撮影が可能なビデオカメラに内蔵されたものを用いてもよい。また、補助カメラ２がレリーズ用の端子を備えている場合、主カメラ１として用いる通常のカメラがシャッター１１の開放に同調する接点として通常備えているストロボ同調接点やモータドライブ同調接点を上記レリーズ端子にケーブルを用いて接続することで、シャッター１１の開放に同期して１画面分の電気信号が取り出されるようにしたものであってもよい。
【００１５】
補助カメラ２で撮影した画像の電気信号は、記録メディア６に保存される。記録メディア６としては、フロッピー（Ｒ）ディスク、ハードディスク、光磁気ディスク、半導体メモリ等を好適に用いることができる。記録メディア６は補助カメラ２に内蔵されているものであっても、補助カメラ２から分離されているものであってもよい。
【００１６】
また、記録メディア６への画像の記録に際しては、各画像に識別符号として通し番号を付して記録を行う。ファイル名を付して記録メディア６への記録を行う場合は、このファイル名を通し番号として使用するのが好ましく、一齣撮影が可能なビデオカメラを用いる場合はフレーム番号を通し番号として使用すればよく、１画像を１トラックに記録する記録メディア６を用いる場合はそのトラック番号を通し番号として用いればよい。さらに主カメラ１における写真感光材料にも同じ通し番号を付すものとする。
【００１７】
補助カメラ２で撮影した画像は、記録メディア６に記録されると同時に表示手段としてのモニタ装置５に表示される。モニタ装置５には、カラー表示の可能なものが望ましく、通常はＣＲＴが用いられるが、液晶表示器や投影形のものであってもよい。このモニタ装置５で表示する画像は、撮影のための画像確認用であり、撮影直後の一定時間だけ、もしくは次の撮影を行った時点までその画像を表示し、新たに撮影した場合は、その時点で新しく撮影した画像に切り替わる。このモニタ装置５への画像の表示に際しては、記録メディア６への記録時に付した通し番号も表示するようにしておくのが好ましい。
【００１８】
このように主カメラ１による撮影とこれに同期した補助カメラ２による撮影とを行って、多数枚の画像を写真感光材料に記録すると同時に記録メディア６に記録したならば、写真感光材料に記録した画像のうち、どれを現像・焼付処理に回すかの選択を行う。
【００１９】
上記選択は、記録メディア６に記録した多数の画像の各縮小画像をプリンタ１０によって印刷し、印刷したインデックスプリント１５を見ることで行う。このプリンタ１０としては、カラーインクジェットプリンターやカラーレーザープリンター、昇華型プリンターなどを好適に用いることができ、１枚の紙にたとえば１０数枚の縮小画像ｐを付された通し番号ｎと共に印刷する。
【００２０】
上記プリンタ１０への印刷のほか、画面分割装置（いわゆるマルチコントローラ）７を通して比較モニタ手段であるモニタ装置８への表示も行えるようにしておく。このモニタ装置８は、画面を複数に分割して各分割領域に夫々異なる画像（通常は記録メディア６への記録順の複数画像）を表示するモードＭ１と、選択手段としてのセレクタスイッチ９にて選択された画像を画面一杯に表示するモードＭ２とを備えたものが好ましい。また、いずれの表示モードにおいても、画像の通し番号ｎを画面中に同時に表示するようにしておく。画面を複数に分割して各分割領域に夫々異なる画像を表示するモニタ装置と、選択した画像を画面一杯に表示するモニタ装置とが別のものであってもよい。
【００２１】
上記インデックスプリント１５を見ることで、多数の画像を一覧することができるものであり、撮影した画像数（写真数）が非常に多くて１枚の紙に収まりきらなかった多数の画像も、それぞれが印刷されているインデックスプリント１５を並べて見比べることができるために、現像・焼付処理に回すべき写真の選択が容易である。
【００２２】
上記インデックスプリント１５の縮小画像ｐで人物の表情が判りがたい場合などは、上記モニタ装置８を用いて、該当する通し番号ｎの画像をモニタ装置８に表示することで確認を行うことができる。
【００２３】
このようにして、選択が完了すれば、選択した画像の写真の仕上げ方を決定し、縮小画像ｐに付して印刷されている通し番号ｎと同じ通し番号が付された写真感光材料を現像所に出せばよく、この時、選択した画像についてマーキングした上記インデックスプリント１５と上記仕上げ方の指定メモとを同時に現像所に送ることで、現像所は印画紙への焼き付け処理に際して、送られてきた写真（写真感光材料）が焼き付け処理すべきものであるかどうかの確認を行うことができる。
【００２４】
【発明の効果】
以上のように本発明においては、画像を写真感光材料に記録する主カメラと、主カメラの視野の少なくとも一部を視野とするように主カメラに対して固定され主カメラのシャッターの開放に同期して撮像した静止画像を電気信号に変換する補助カメラと、補助カメラにより撮像した複数の静止画像を識別符号とともに記録する記録手段と、記録手段に記録された複数静止画像の各縮小画像が識別符号とともに印刷されたインデックスプリントであって現像所に送る写真感光材料に記録されている画像のうち現像・焼付処理に回す画像の選択に用いられるとともに選択した画像についてマーキングされ写真感光材料と写真の仕上げ方の指定メモと同時に現像所に送られるインデックスプリントを出力するプリンタとからなるために、複数の写真を次々に撮影した後に、記録手段に格納されている静止画像の中から所望のものを選択し、選択した写真のみを現像・焼付処理に回すことができるものであり、印画紙や薬剤の無駄な消費を低減することができるのはもちろんのこと、多数の写真を撮影した場合にも、複数静止画像の各縮小画像が識別符号とともに印刷されたインデックスプリントで複数の画像を見比べながら選択を行うことができる上に、１枚のインデックスプリントに収まりきらない数の画像を撮影した時にも、出力された複数枚のインデックスプリントを並べることで、異なるインデックスプリントに印刷されている画像間の見比べも容易に行うことができるものであり、またインデックスプリントを出力してしまえば、画像の選択作業そのものは全く場所を問わずに行えるという利点を有している。
【００２５】
そして、記録手段に記録された複数静止画像を読み出すとともに読み出された静止画像を識別符号とともに画面に表示する比較モニタ手段も備えたものとしておけば、インデックスプリントでは判別しにくい詳細も検討した上で選択を行うことができるために、より的確な選択作業を行うことができる。
【図面の簡単な説明】
【図１】実施の形態の一例の全体構成を示すブロック図である。
【符号の説明】
１  主カメラ
２  補助カメラ
３  被写体
５  モニタ装置
６  記録メディア
８  モニタ装置
１０  プリンタ
１５  インデックスプリント
ｐ  縮小画像
ｎ  通し番号
【図１】
0003650590.tif 000002